(57)【特許請求の範囲】
【請求項１】
シリンダ形状のハウジングと、このハウジングの軸心上でこのハウジングに挿入され、上記軸心回りに回転駆動させられるスクリューと、上記ハウジングの軸方向の複数箇所に形成され、このハウジングの内部を視認可能にする複数個の視認窓とを備え、上記ハウジングの軸方向の一端部側内に投入された樹脂を上記ハウジング内で熱溶融させると共に上記スクリューの回転により上記ハウジングの他端部から樹脂成形機に向けて押し出すようにした溶融樹脂のスクリュー式押出機において、
上記各視認窓のうち、一部の複数個の視認窓を上記ハウジングの周方向の一部分においてこのハウジングの軸方向に所定間隔をあけて配設し、他部の複数個の視認窓を上記ハウジングの周方向で上記一部分から偏位した上記ハウジングの周方向の他部分においてこのハウジングの軸方向に所定間隔をあけて配設し、上記ハウジングの軸方向の一端部側から他端部側に向かうに従い、上記各視認窓を上記ハウジングの一部分と他部分とに一つずつ交互に配置し、
上記ハウジングの軸方向で互いに隣り合う上記ハウジングの一部分の視認窓と上記ハウジングの他部分の視認窓とにおいて上記ハウジングの軸方向で互いに対向する各対向端部が、上記ハウジングの周方向で所定寸法だけ部分的に重なるようにし、
上記ハウジングの周方向の上記一部分と他部分とがなす角度を９０°以下とし、
前記所定寸法を上記スクリューの羽根のピッチ寸法の１／４〜１／２倍としたことを特徴とする溶融樹脂のスクリュー式押出機。
【発明の詳細な説明】
【技術分野】
【０００１】
本発明は、シリンダ形状のハウジングの一端部側内に投入した樹脂を、このハウジング内で熱溶融させると共に、このハウジング内で回転するスクリューにより上記ハウジングの他端部から押し出すようにした溶融樹脂のスクリュー式押出機に関し、より具体的には、上記ハウジング内における樹脂の溶融状態などの各種状態を上記ハウジングの外部から視認可能にする視認窓を上記ハウジングに形成した溶融樹脂のスクリュー式押出機に関するものである。
【背景技術】
【０００２】
上記溶融樹脂のスクリュー式押出機には、従来、下記特許文献１に示されるものがある。この公報のものによれば、溶融樹脂のスクリュー式押出機は、シリンダ形状のハウジングと、このハウジングの軸心上でこのハウジングに挿入され、上記軸心回りに回転駆動させられるスクリューと、上記ハウジングの周方向の一部分で、その軸方向に所定ピッチをおいて断続的に形成され、このハウジングの内部を視認可能にする複数個の視認窓とを備えている。そして、上記ハウジングの軸方向の一端部側内に投入された樹脂は上記ハウジング内で熱溶融させられると共に上記スクリューの回転により上記ハウジングの他端部からダイなどの樹脂成形機に向けて押し出され、このように押し出された樹脂は、上記樹脂成形機でパイプなど所望の樹脂成形品となるよう形成されるようになっている。
【０００３】
ここで、上記ハウジングの一端部側内に投入された樹脂が他端部から押し出される間における上記樹脂の搬送状態、熱溶融状態、および混練状態の各種状態は、上記各視認窓を通して視覚的に知覚できることとされている。
【０００４】
そして、上記した樹脂の各種状態の視覚的な知覚によれば、上記ハウジング内の樹脂を搬送や混練するスクリューのピッチ寸法や外径寸法等の形状、スクリューの回転数、およびヒータの容量などの押出機の仕様についての再検討や再確認が精度よくできることとされ、もって、上記押出機から押し出される樹脂の状態を、この樹脂により形成される上記成形品の形成にとって、より最適のものにできることとされる。
【０００５】
また、従来、下記特許文献２に示されるものがある。この公報のものは、前記特許文献１のものとほぼ同構成かつ同作用であるが、そのハウジングの周方向の一部分に、その軸方向に連続的に延びる長尺のスリット形状の視認窓が形成されている。
【先行技術文献】
【特許文献】
【０００６】
【特許文献１】特開２００９−２２６５９７号公報
【特許文献２】特開平１−２９５８１４号公報
【発明の概要】
【発明が解決しようとする課題】
【０００７】
ところで、前記した特許文献１に係る視認窓は、前記したように、ハウジングの周方向の一部分で、その軸方向に所定ピッチをおいて断続的に設けられている。このため、上記したハウジング内における樹脂の各種状態についての視覚的な知覚は、このハウジングの軸方向で不連続なものにとどめられる。よって、このような連続性に欠ける知覚の内容は、押出機の仕様の再検討や再確認を、より精度よくする上で不十分になるおそれがあり、この点、改善の余地が残されている。
【０００８】
一方、前記した特許文献２に係る視認窓は、前記したように、ハウジングの周方向の一部分で、その軸方向に連続的に長く延びる長尺のスリット形状とされている。このため、上記したハウジング内における樹脂の各種状態についての視覚的な知覚は、この軸方向で連続的にできる。そして、このような連続的な知覚によれば、押出機の仕様の再検討や再確認が、より精度よくできることとなって好ましい。
【０００９】
しかし、上記ハウジング内では、樹脂を加圧しながらその他端部から押し出すようスクリューが回転していて、その内圧は例えば５０ＭＰａにも達することがあるため、上記ハウジングには十分の強度の確保が求められる。このため、上記したように視認窓を長尺のスリット形状にした場合には、上記ハウジング内の内圧に鑑み、このハウジングの強度が不足するおそれを生じ、これは、ハウジングの強度上、好ましくない。
【課題を解決するための手段】
【００１０】
本発明は、上記のような事情に注目してなされたもので、本発明の目的は、押出機におけるシリンダ形状のハウジングの一端部側内に投入した樹脂を、このハウジング内で熱溶融させると共に、このハウジング内で回転するスクリューにより上記ハウジングの他端部から押し出す場合において、上記ハウジングに十分の強度を確保させる一方、このハウジング内における樹脂の各種状態についての視覚的な知覚が、このハウジングの軸方向で連続的にできるようにして、上記押出機から押し出される樹脂の状態を、この樹脂により形成される形成品の形成にとって、より最適のものにできるようにすることである。
【００１１】
本発明は、シリンダ形状のハウジング１１と、このハウジング１１の軸心１０上でこのハウジング１１に挿入され、上記軸心１０回りに回転Ｒ駆動させられるスクリュー１３と、上記ハウジング１１の軸方向の複数箇所に形成され、このハウジング１１の内部を視認可能にする複数個の視認窓２３とを備え、上記ハウジング１１の軸方向の一端部側内に投入された樹脂２を上記ハウジング１１内で熱溶融させると共に上記スクリュー１３の回転Ｒにより上記ハウジング１１の他端部から樹脂成形機５に向けて押し出すようにした溶融樹脂のスクリュー式押出機において、
上記各視認窓２３のうち、一部の複数個の視認窓２３（Ａ）を上記ハウジング１１の周方向の一部分１１ａにおいてこのハウジング１１の軸方向に所定間隔をあけて配設し、他部の複数個の視認窓２３（Ｂ）を上記ハウジング１１の周方向で上記一部分１１ａから偏位した上記ハウジング１１の周方向の他部分１１ｂにおいてこのハウジング１１の軸方向に所定間隔をあけて配設し、上記ハウジング１１の軸方向の一端部側から他端部側に向かうに従い、上記各視認窓２３（Ａ），２３（Ｂ）を上記ハウジング１１の一部分１１ａと他部分１１ｂとに一つずつ交互に配置し、
上記ハウジング１１の軸方向で互いに隣り合う上記ハウジング１１の一部分１１ａの視認窓２３（Ａ）と上記ハウジング１１の他部分１１ｂの視認窓２３（Ｂ）とにおいて上記ハウジング１１の軸方向で互いに対向する各対向端部２３ａ，２３ｂが、上記ハウジング１１の周方向で所定距離だけ部分的に重なるようにし、
上記ハウジングの周方向の上記一部分と他部分とがなす角度を９０°以下とし、
前記所定寸法を上記スクリューの羽根のピッチ寸法の１／４〜１／２倍としたことを特徴とする溶融樹脂のスクリュー式押出機である。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
本発明は、シリンダ形状のハウジングと、このハウジングの軸心上でこのハウジングに挿入され、上記軸心回りに回転駆動させられるスクリューと、上記ハウジングの軸方向の複数箇所に形成され、このハウジングの内部を視認可能にする複数個の視認窓とを備え、上記ハウジングの軸方向の一端部側内に投入された樹脂を上記ハウジング内で熱溶融させると共に上記スクリューの回転により上記ハウジングの他端部から樹脂成形機に向けて押し出すようにした溶融樹脂のスクリュー式押出機において、
上記各視認窓のうち、一部の複数個の視認窓を上記ハウジングの周方向の一部分においてこのハウジングの軸方向に所定間隔をあけて配設し、他部の複数個の視認窓を上記ハウジングの周方向で上記一部分から偏位した上記ハウジングの周方向の他部分においてこのハウジングの軸方向に所定間隔をあけて配設し、上記ハウジングの軸方向の一端部側から他端部側に向かうに従い、上記各視認窓を上記ハウジングの一部分と他部分とに一つずつ交互に配置している。
【００１６】
このため、前記従来の技術にて説明した視認窓がハウジングの軸方向に連続的に長く延びる長尺のスリット形状のものに比べて、このハウジングには十分の強度を確保させることができる。
【００１７】
そして、上記したようにハウジングに十分の強度を確保させる一方、上記ハウジングの軸方向で互いに隣り合う二つの視認窓をハウジングの軸方向で、できるだけ連続的に配置できるため、上記各視認窓を通してのハウジングの内部の視認により、このハウジング内における樹脂の各種状態についての視覚的な知覚が、このハウジングの軸方向で、より連続的に精度よくできることとなる。よって、このようなハウジングの軸方向で連続性のある精度のよい知覚によれば、押出機の仕様の再検討や再確認が、より精度よくできることとなる。この結果、押出機から押し出される樹脂の状態を、この樹脂により形成される成形品にとって、より最適のものにすることができる。
【００１８】
また、前記したように、ハウジングの軸方向の一端部側から他端部側に向かうに従い、上記各視認窓は、上記ハウジングの周方向の一部分と他部分とに一つずつ交互に配置される。よって、上記各視認窓がハウジングの周方向に単に分散配置されることに比べて、上記各視認窓を通してのハウジングの内部の視認がし易くなる。よって、ハウジングの内部における樹脂の各種状態についての視覚的な知覚が、より精度よくできることとなり、その分、押出機の仕様の再検討や再確認が、更に精度よくできる。
【００１９】
また、上記ハウジングの軸方向で互いに隣り合う上記ハウジングの一部分の視認窓と上
記ハウジングの他部分の視認窓とにおいて上記ハウジングの軸方向で互いに対向する各対
向端部が、上記ハウジングの周方向で所定寸法だけ部分的に重なるようにしている。
【００２０】
このため、上記ハウジングの一部分の視認窓を通してハウジングの内部を視認した後、これに続いて上記ハウジングの他部分の視認窓を通して上記ハウジングの内部を視認する場合には、これら両視認の間で、上記各対向端部をそれぞれ通してハウジングの軸方向の同じ位置の内部をほぼ同時に視認することができる。よって、ハウジングの内部における樹脂の各種状態についての視覚的な知覚が、このハウジングの軸方向で更に連続的に精度よくできることとなり、その分、押出機の仕様の再検討や再確認が、更に精度よくできる。
【００２１】
また、上記ハウジングの周方向の上記一部分と他部分とがなす角度を９０°以下にしている。
【００２２】
このため、上記ハウジングの一部分の視認窓と他部分の視認窓とを順次通してハウジングの内部を視認する場合に、上記各視認窓のうち、一方の視認窓と他方の視認窓とは、これらのなす角度が９０°以下であって上記ハウジングの周方向で互いに接近していることから、上記一方の視認窓と他方の視認窓とを順次通してハウジングの内部を視認することが容易かつ円滑にできる。よって、ハウジングの内部における樹脂の各種状態についての視覚的な知覚が、より精度よくできることとなり、その分、押出機の仕様の再検討や再確認が、更に精度よくできる。
【図面の簡単な説明】
【００２３】
【図１】平面図である。
【図２】側面図である。
【図３】図１のIII−III線矢視断面図である。
【図４】図３のIV−IV線矢視展開図である。
【発明を実施するための形態】
【００２４】
本発明の溶融樹脂のスクリュー式押出機に関し、押出機におけるシリンダ形状のハウジングの一端部側内に投入した樹脂を、このハウジング内で熱溶融させると共に、このハウジング内で回転するスクリューにより上記ハウジングの他端部から押し出す場合において、上記ハウジングに十分の強度を確保させる一方、このハウジング内における樹脂の各種状態についての視覚的な知覚が、このハウジングの軸方向で連続的にできるようにして、上記押出機から押し出される樹脂の状態を、この樹脂により形成される形成品の形成にとって、より最適のものにできるようにする、という目的を実現するため、本発明を実施するための形態は、次の如くである。
【００２５】
即ち、溶融樹脂のスクリュー式押出機は、シリンダ形状のハウジングと、このハウジングの軸心上でこのハウジングに挿入され、上記軸心回りに回転駆動させられるスクリューと上記ハウジングの軸方向の複数箇所に形成され、このハウジングの内部を視認可能にする複数個の視認窓とを備えている。上記ハウジングの軸方向の一端部側内に投入された樹脂を上記ハウジング内で熱溶融させると共に上記スクリューの回転により上記ハウジングの他端部から樹脂成形機に向けて押し出すようにしている。
【００２６】
上記各視認窓のうち、一部の複数個の視認窓は上記ハウジングの周方向の一部分においてこのハウジングの軸方向に所定間隔をあけて配設され、他部の複数個の視認窓は上記ハウジングの周方向で上記一部分から偏位した上記ハウジングの周方向の他部分においてこのハウジングの軸方向に所定間隔をあけて配設される。上記ハウジングの軸方向の一端部側から他端部側に向かうに従い、上記各視認窓は上記ハウジングの一部分と他部分とに一つずつ交互に配置される。上記ハウジングの軸方向で互いに隣り合う上記ハウジングの一部分の視認窓と上記ハウジングの他部分の視認窓とにおいて上記ハウジングの軸方向で互いに対向する各対向端部は、上記ハウジングの周方向で重なることとされる。
【実施例】
【００２７】
本発明をより詳細に説明するために、その実施例を添付の図に従って説明する。
【００２８】
図において、符号１は押出成形機で、この押出成形機１は、熱可塑性の樹脂２を加熱溶融させて連続的に前方Ｆｒに向かって押し出し可能とするスクリュー式押出機３と、この押出機３から押し出された樹脂２を所望の成形品４に形成する樹脂成形機５とを備えている。
【００２９】
上記成形品４がパイプなどの長尺体である場合には、上記樹脂成形機５は上記溶融樹脂を通過させるダイ孔が形成されたダイとされる。また、上記成形品４が射出成形品である場合には、上記樹脂成形機５は上記溶融樹脂を流入させるキャビティが形成された金型とされる。
【００３０】
上記押出機３は、作業床８上に設置される架台９と、軸心１０が水平に延びて上記架台９に締結具により支持されるシリンダ形状のハウジング１１と、このハウジング１１の軸心１０上でこのハウジング１１内のスクリュー孔１２に挿入され、上記軸心１０回りの一方向に回転Ｒ可能とされるスクリュー１３と、上記ハウジング１１の軸方向の一端部側（後端部側）に突設され、このハウジング１１内に樹脂２を投入可能とさせるホッパー１４と、上記架台９に支持されて上記スクリュー１３の軸方向の一端部（後端部）に連結され、このスクリュー１３を変速可能に回転Ｒ駆動させる電動機１５と、上記ハウジング１１の軸方向のほぼ全体にわたり、その外面に取り付けられるヒータ１６とを備えている。上記スクリュー１３の変速範囲は、０〜１５０ｒ．ｐ．ｍとされる。
【００３１】
上記スクリュー１３は、上記軸心１０上に位置するスクリュー軸１９と、このスクリュー軸１９の外面に一体的に突設され、右ねじ状に形成される羽根２０とを備えている。上記スクリュー軸１９の外径寸法Ｄは、上記スクリュー１３の一端部側から他端部側に向かうに従い、段階的に大きくされている。一方、上記羽根２０のピッチ寸法Ｐは一定寸法とされている。また、上記スクリュー１３の回転Ｒ方向は、このスクリュー１３を一端部側から他端部側に向かう視線（前方に向かう視線）で見て反時計方向とされている。
【００３２】
具体的には、上記ハウジング１１とスクリュー１３とは金属製で、ハウジング１１のスクリュー孔１２の内径寸法は、上記スクリュー１３の外径寸法よりもわずかに大きく、上記スクリュー１３の羽根２０のピッチ寸法Ｐとほぼ同じ値とされ、３０〜５０ｍｍとされる。
【００３３】
上記ハウジング１１の軸方向の複数箇所に形成され、このハウジング１１の内部を視認可能にする複数個（１０個）の視認窓２３が設けられている。これら各視認窓２３は、上記ハウジング１１に形成され、その底部が上記スクリュー孔１２に近接する嵌入孔２４と、この嵌入孔２４の底部から上記スクリュー孔１２に連通するよう形成された連通孔２５と、上記嵌入孔２４に嵌入されたガラス製透明体２６と、上記ハウジング１１の外面に締結具２７により締結され、上記嵌入孔２４から上記透明体２６が抜け出ることを防止する押え板２８とを備えている。
【００３４】
上記押え板２８には視認孔２９が貫設され、上記軸心１０に沿った視線で見た視認窓２３の横断面視（図３）で、上記嵌入孔２４、連通孔２５、透明体２６、押え板２８、および視認孔２９の各中心３１は、上記軸心１０と直交する線上に位置し、それぞれ上記ハウジング１１の軸方向に長く延びる形状とされている。上記ハウジング１１の内部を視認可能にさせる上記視認窓２３の実質的な範囲は上記視認孔２９によって定められている。
【００３５】
また、上記ハウジング１１の内部の樹脂２の圧力を検出する圧力センサー３２と、上記ハウジング１１の内部の樹脂２の温度を検出する温度センサー３３とがそれぞれ上記ハウジング１１に取り付けられている。
【００３６】
上記押出成形機１により、樹脂２の成形品４を形成する場合には、まず、原料となるペレットなどの樹脂２を上記押出機３のホッパー１４を通して上記ハウジング１１の軸方向の一端部側（後端部側）に投入する。すると、上記樹脂２は上記スクリュー１３の回転Ｒによりハウジング１１の内部を他端部側（前端部側）に向けて搬送される。そして、この搬送途中において、上記樹脂２は、上記ヒータ１６による加熱により熱溶融され、かつ、上記スクリュー１３により混練されて上記ハウジング１１の他端部から上記樹脂成形機５に向けて押し出され、この樹脂成形機５において、上記成形品４が形成されるようになっている。
【００３７】
ここで、上記押出機３の軸方向の一端部側は搬送（もしくは供給）ゾーン３４といわれる部分であり、この搬送ゾーン３４では、上記スクリュー１３のスクリュー軸１９の外径寸法Ｄが小さくされていて、押出機３による樹脂２の搬送量（ｋｇ／ｍｉｎ）が大きくされている。
【００３８】
また、上記押出機３の軸方向の中途部は、熱溶融（もしくは圧縮）ゾーン３５といわれる部分であり、この熱溶融ゾーン３５では、上記スクリュー１３のスクリュー軸１９の外径寸法Ｄが大きくされていて、押出機３による樹脂２の搬送量が減少させられる。このため、上記樹脂２は上記ヒータ１６による加熱により十分に熱溶融させられると共に、上記搬送ゾーン３４から供給される樹脂２により圧縮されながら混練される。
【００３９】
また、上記押出機３の軸方向の他端部側は計量ゾーン３６といわれる部分であり、この計量ゾーン３６では、上記スクリュー１３のスクリュー軸１９の外径寸法Ｄがより大きくされていて、押出機３による樹脂２の搬送量が更に減少させられる。このため、上記樹脂２は上記スクリュー１３により、より十分に混練されると共に圧縮されて上記ハウジング１１の他端部から押し出され、上記樹脂成形機５に供給される。
【００４０】
一方、上記各ゾーン３４〜３６における上記樹脂２の搬送状態、熱溶融状態、および混練状態の樹脂２の各種状態は、上記各視認窓２３を通して視覚的に知覚できることとされている。
【００４１】
そして、上記した樹脂２の各種状態の視覚的な知覚によれば、上記ハウジング１１内の樹脂２を搬送や混練するスクリュー１３のピッチ寸法Ｐや外径寸法Ｄ等の形状、スクリュー１３の回転数、およびヒータ１６の容量などの押出機３の仕様についての再検討や再確認が精度よくできる。よって、上記押出機３から押し出される樹脂２の状態を、この樹脂２により形成される上記成形品４の形成にとって、より最適のものにできることとなる。
【００４２】
上記構成において、ハウジング１１の軸方向で互いに隣り合う二つの視認窓２３（Ａ），２３（Ｂ）のうち、一方の視認窓２３（Ａ）と他方の視認窓２３（Ｂ）とを上記ハウジング１１の周方向で互いに偏位させている。
【００４３】
このため、仮に、上記ハウジング１１の軸方向で互いに隣り合う二つの視認窓２３（Ａ），２３（Ｂ）の上記軸方向での互いの対向縁部を、この軸方向で互いに接近させたり、ハウジング１１の周方向で重ねたりして、上記二つの視認窓２３（Ａ），２３（Ｂ）をハウジング１１の軸方向で、できるだけ連続的に配置したとしても、前記従来の技術にて説明した視認窓２３がハウジング１１の軸方向に連続的に長く延びる長尺のスリット形状のものに比べて、このハウジング１１には十分の強度を確保させることができる。
【００４４】
そして、上記したようにハウジング１１に十分の強度を確保させる一方、上記隣り合う二つの視認窓２３（Ａ），２３（Ｂ）をハウジング１１の軸方向で、できるだけ連続的に配置できるため、上記各視認窓２３を通してのハウジング１１の内部の視認により、このハウジング１１内における樹脂２の各種状態についての視覚的な知覚が、このハウジング１１の軸方向で、より連続的に精度よくできることとなる。よって、このようなハウジング１１の軸方向で連続性のある精度のよい知覚によれば、押出機３の仕様の再検討や再確認が、より精度よくできることとなる。この結果、押出機３から押し出される樹脂２の状態を、この樹脂２により形成される成形品４にとって、より最適のものにすることができる。
【００４５】
また、上記ハウジング１１の周方向の一部分１１ａに上記一方の視認窓２３（Ａ）の複数個を配設し、上記ハウジング１１の周方向の他部分１１ｂに上記他方の視認窓２３（Ｂ）の複数個を配設している。
【００４６】
このため、上記一方の視認窓２３（Ａ）と他方の視認窓２３（Ｂ）とは上記ハウジング１１の軸方向の一端部側から他端部側に向かうに従い、このハウジング１１の周方向の一部分１１ａと他部分１１ｂとに交互に配置される。よって、上記各視認窓２３がハウジング１１の周方向に単に分散配置されることに比べて、上記各視認窓２３を通してのハウジング１１の内部の視認がし易くなる。よって、ハウジング１１の内部における樹脂２の各種状態についての視覚的な知覚が、より精度よくできることとなり、その分、押出機３の仕様の再検討や再確認が、更に精度よくできる。
【００４７】
また、上記隣り合う二つの視認窓２３（Ａ），２３（Ｂ）の上記ハウジング１１の軸方向での互いの対向端部２３ａ，２３ｂが上記ハウジング１１の周方向で重なるようにしている。
【００４８】
このため、上記一方の視認窓２３（Ａ）を通してハウジング１１の内部を視認した後、これに続いて上記他方の視認窓２３（Ｂ）を通して上記ハウジング１１の内部を視認する場合には、これら両視認の間で、上記各対向端部２３ａ，２３ｂをそれぞれ通してハウジング１１の軸方向の同じ位置の内部をほぼ同時に視認することができる。よって、ハウジング１１の内部における樹脂２の各種状態についての視覚的な知覚が、このハウジング１１の軸方向で更に連続的に精度よくできることとなり、その分、押出機３の仕様の再検討や再確認が、更に精度よくできる。
【００４９】
具体的には、上記隣り合う二つの視認窓２３（Ａ），２３（Ｂ）の上記互いの対向端部２３ａ，２３ｂが上記ハウジング１１の周方向で重なる寸法Ｌは、上記スクリュー１３の羽根２０のピッチ寸法Ｐの１／２〜１／４倍とされている。
【００５０】
また、上記ハウジング１１の周方向の上記一部分１１ａと他部分１１ｂとがなす角度θを１００°以下、好ましくは９０°以下にしている。
【００５１】
このため、上記一方の視認窓２３（Ａ）と他方の視認窓２３（Ｂ）とを順次通してハウジング１１の内部を視認する場合に、上記一方の視認窓２３（Ａ）と他方の視認窓２３（Ｂ）とは、これらのなす角度θが１００°以下であって上記ハウジング１１の周方向で互いに接近していることから、上記一方の視認窓２３（Ａ）と他方の視認窓２３（Ｂ）とを順次通してハウジング１１の内部を視認することが容易かつ円滑にできる。よって、ハウジング１１の内部における樹脂２の各種状態についての視覚的な知覚が、より精度よくできることとなり、その分、押出機３の仕様の再検討や再確認が、更に精度よくできる。
【００５２】
なお、以上は図示の例によるが、上記ハウジング１１の内部における樹脂２の各種状態の知覚は、上記各視認窓２３を通し直接視認しなくてもよく、例えば、テレビカメラで撮像したものを間接視認し、もしくは、この撮像したものを合成するなど画像処理したものを間接視認して、視覚的に知覚するようにしてもよい。
【符号の説明】
【００５３】
１    押出成形機
２    樹脂
３    押出機
４    成形品
５    樹脂成形機
１０  軸心
１１  ハウジング
１１ａ  一部分
１１ｂ  他部分
１２  スクリュー孔
１３  スクリュー
１４  ホッパー
１５  電動機
１６  ヒータ
１９  スクリュー軸
２０  羽根
２３  視認窓
２３ａ  対向端部
２３ｂ  対向端部
２４  嵌入孔
２５  連通孔
２６  透明体
２７  締結具
２８  押え板
２９  視認孔
３１  中心
３４  搬送ゾーン
３５  熱溶融ゾーン
３６  計量ゾーン
Ｄ    外径寸法
Ｌ    重なる寸法
Ｐ    ピッチ寸法
Ｒ    回転
Ｆｒ  前方
θ    角度
【図１】
0005844543.tif 000002
【図２】
0005844543.tif 000003
【図３】
0005844543.tif 000004
【図４】
0005844543.tif 000005